(57)【要約】  乗客の足および／または脚を支える車両用の載せ台は、電気的な動力を供給される枢動可能蓋（３）を有し収容庫を規定するハウジング（２）を備えている。蓋は、収容庫への入場が許容されるとともに支えが乗客の足および／またはふくらはぎ用に設けられる開位置と閉位置との間で枢動されてもよい。載せ台は、乗客の足元空間内の動きのために、一対のレールに装着され、電動ピニオン（１１）は、レール（９）の上方および下方へ載せ台を動かすためにラック（１０）の上を移動する。この構成は、特に長い道のりで有益である快適で調整可能な足／脚の支えを提供する。同時に、入場し易く便利な特別な収容庫が設けられる。【選択図】図２
2007520393.tif 000002
【特許請求の範囲】
【請求項１】
車両で使用される載せ台であって、
傾斜上面を有するハウジングと、
前記車両に対して前記ハウジングの位置を調整する手段と、
を備える載せ台。
【請求項２】
前記ハウジングは、収容スペースを規定し、前記傾斜上面を備え前記収容スペースへの入場およびユーザのふくらはぎ用の支えを許容する開位置と前記収容スペースを閉鎖する閉位置との間で枢動する枢動可能蓋を有する請求項１記載の車両で使用される載せ台。
【請求項３】
前記蓋が動力を供給される請求項１記載の車両で使用される載せ台。
【請求項４】
前記車両に対して前記ハウジングの位置を調整する手段が、電動ラックピニオン構成を備えている請求項１〜３の何れか一項に記載の車両で使用される載せ台。
【請求項５】
前記電動ラックピニオン構成は、前記車両の床に固定されるような一対のレールの上で前記ハウジングを移動するように動作する請求項４記載の車両で使用される載せ台。
【請求項６】
前記電動ラックピニオン構成は電気モータを備える請求項４または５記載の車両で使用される載せ台。
【請求項７】
耐摩耗材料の層が前記傾斜上面に設けられている請求項１〜６の何れか一項に記載の車両で使用される載せ台。
【請求項８】
前記耐摩耗材料の層がカーペットである請求項７記載の車両で使用される載せ台。
【請求項９】
前記蓋が電動である請求項１〜８の何れか一項に記載の車両で使用される載せ台。
【請求項１０】
請求項１〜９の何れか一項に記載の載せ台を備える車両。
【請求項１１】
前記載せ台が、前記車両の乗客の足元空間に配置された一対のレールに配置されている請求項９記載の車両。
【発明の詳細な説明】
【技術分野】
【０００１】
本発明は、載せ台に関するが、特に車両用の載せ台に限らない。
【背景技術】
【０００２】
特に長い道のりでの車両では、快適さがとりわけ重要である。足および／または脚を支えることは快適さを増大させることができる。
【発明の開示】
【発明が解決しようとする課題】
【０００３】
本発明の目的は、そのような支えを提供し、そうでなければ経験されるかもしれない何らかの不快を和らげるものである。
【課題を解決するための手段】
【０００４】
本発明の一態様によれば、車両で使用される載せ台であって、傾斜上面を有するハウジングと、車両に対してハウジングの位置を調整する手段とを備える載せ台を提供する。
【０００５】
本発明の別の態様によれば、車両であって、その足元空間に配置される載せ台を有する車両を提供し、載せ台は、傾斜上面を有するハウジングと、車両に対してハウジングの位置を調整する手段とを備える。
【０００６】
本発明の好適な実施の形態では、ハウジングは収容スペースを規定し、傾斜上面は、収容スペースを閉鎖するが収容スペースへの入場を許容する開位置に枢動される枢動可能蓋によって設けられている。蓋は動力を供給されてもよい。車両に対してハウジングの位置を調整する手段は、車両の床に固着された一対のレールの上でハウジングを移動するように動作する電動ラックピニオン構成を備えている。好適には、駆動モータは電動であるけれども、モータの他の形態が使用されてもよい。有利には、傾斜上面は、車両のカーペットに一致するカーペットなどのような耐摩耗材料の層を設けられてもよい。
【０００７】
本発明がより明確に理解されるために、その一実施の形態が、その一例として、添付図面を参照して記述されるだろう。
【発明を実施するための最良の形態】
【０００８】
図１〜図３に関して、載せ台１は、電気的に電力を供給される蓋３によって上に取り付けられたハウジング２を備えている。蓋２は、傾斜上面４を設けた浅い逆Ｖ字状断面の傾斜形態を有する。載せ台が嵌め込められる車両用カーペットと好適には一致するカーペットなどの耐摩耗材料の層５が、傾斜上面４に固着されている。特に図２に関して、蓋３は、開位置と図１で示され図２の影線で示された閉位置との間で矢印７の方向へ電気的に動力を供給される動きに対して符号６でハウジング２に枢動可能に装着されている。開位置での蓋を使って、ハウジング２によって規定される囲いに入場可能となる。ハウジングは、収容される品目を支える基部８を備えている。
【０００９】
載せ台は、動けるように一対の平行レール９に装着されている。ラック１０はレールの一方に接続され、電動ピニオン１１がラック１０の上を動く。ピニオン１１を駆動するモータ（不図示）は好適には電気であるが、他のタイプのモータが使用されてもよい。ラック上のピニオン１１の動作により、載せ台がレール９の長手方向へレール９の上方および下方に動かされる。
【００１０】
図４を参照すると、図１〜図３で示された２つの載せ台が車両内の適切な位置に示されている。一方の載せ台２６は、蓋３を自動車の後方足元空間２４の一方の閉位置に置くとともに対応する前方席２５の基部に対抗させた状態で示されている。この位置で、載せ台は、たとえば図６で示されるような足載せ台（フットレスト）として使用されてもよい。足載せ台の位置は、矢印２６で示される方向へ乗客に都合が良いように変更されてもよい。他方の足載せ台２７は、他方の前方席２９の基部に対抗して足元空間２８内に収容される品目を、この場合には一足の靴３０を許容する開位置に蓋３を置いた状態で示されている。また、載せ台２７は、もっと後方へ調整された位置に示されている。この位置で、載せ台２７は、たとえば図７で示されるようなふくらはぎ用の支えを提供してもよい。
【００１１】
上述の構成は、長い道のりで特に有益である快適かつ調整可能な脚／足支えを提供する。また同時に、入場し易く便利な特別な収納庫が設けられる。
【００１２】
上記の実施の形態は一例のみで記述されているが、多くの変形が発明の範囲内から逸脱することなく可能であることは理解されよう。
【図面の簡単な説明】
【００１３】
【図１】本発明による載せ台の斜視図である。
【図２】開位置でより縮小した図１の載せ台の断面図である。
【図３】蓋を取り外した状態での図１の載せ台のさらなる斜視図である。
【図４】車両において使用される図１〜図３の載せ台の斜視図である。
【図５】異なる動作位置での図１〜図３の載せ台のさらなる斜視図である。
【図６】１つの動作位置で使用される図１〜図５の載せ台を示す。
【図７】図６と類似するが別の動作位置での載せ台を伴った図である。
【図１】
2007520393.tif 000003
【図２】
2007520393.tif 000004
【図３】
2007520393.tif 000005
【図４】
2007520393.tif 000006
【図５】
2007520393.tif 000007
【図６】
2007520393.tif 000008
【図７】
2007520393.tif 000009
【国際調査報告】
2007520393.tif 000010
2007520393.tif 000011
2007520393.tif 000012